(57)【要約】【課題】いままでの操作性に加えてさらに使い勝手が良くなるような改良を加えたジョグダイヤルおよびそのジョグダイヤルを備えた電子機器を提供する。【解決手段】回転自在な略円筒形の操作子２１５１を保持するホルダ２１５２に、押下操作用の回動中心軸を受け入れる孔２１５２１を設けて機器側の回動軸をその孔２１５２１に嵌入する。そのホルダ２１５２の両端部に突起部をそれぞれ設けて、それらの突起部に２つのスイッチＳＷ１，ＳＷ２を接するように配置して操作面から突出する方向（図４の上方に）に付勢するようにし、さらにホルダ２１５２を上記回動軸に回動自在に支持させることにより、操作子２１５１のいずれか一方の端部が押下されたときにホルダ端部の突起部でいずれかのスイッチを押すことができるようにする。【選択図】  図４
2006268732.tif 000002
【特許請求の範囲】
【請求項１】
所定の操作面に寝かせた姿勢に配置され該操作面に沿って延びる中心軸のまわりに回転自在な略円筒形の操作子であって、さらに該操作子の中心軸方向両端部それぞれが、前記操作面から突出する方向に付勢され押圧を受けた側の端部のみが押下される操作子と、
前記操作子の回転操作を検出するエンコーダと、
前記操作子の各端部の押下を検出する、該各端部それぞれに対応して配備されたスイッチとを備えたことを特徴とするジョグダイヤル。
【請求項２】
所定の操作面に寝かせた姿勢に配置され該操作面に沿って延びる中心軸のまわりに回転自在な略円筒形の操作子であって、さらに該操作子の中心軸方向両方向にスライド自在であって該中心軸中央部に位置するように付勢され該中心軸方向へのスライド操作を受けてスライドする操作子と、
前記操作子のスライド操作を検出する、スライド方向２方向のそれぞれに対応して配備されたスイッチとを備えたことを特徴とするジョグダイヤル。
【請求項３】
所定の操作面に寝かせた姿勢に配置され該操作面に沿って延びる中心軸のまわりに回転自在な略円筒形の操作子が中心軸を共通にして２つ隣接配置され、さらに各操作子に対応して設けられ各操作子の回転操作を検出するエンコーダを備えたことを特徴とするジョグダイヤル。
【請求項４】
ユーザによる操作を受ける操作子が配備された操作面を備えた電子機器において、
前記操作子が、前記操作面に寝かせた姿勢に配置され該操作面に沿って延びる中心軸のまわりに回転自在な略円筒形の操作子であって、さらに該操作子の中心軸方向両端部それぞれが前記操作面から突出する方向に付勢され押圧を受けた側の端部のみが押下される操作子と、
前記操作子の回転操作を検出するエンコーダと、
前記操作子の各端部の押下を検出する、該各端部それぞれに対応して配備されたスイッチとを備えたことを特徴とする電子機器。
【請求項５】
ユーザによる操作を受ける操作子が配備された操作面を備えた電子機器において、
前記操作面に寝かせた姿勢に配置され該操作面に沿って延びる中心軸のまわりに回転自在な略円筒形の操作子であって、さらに該操作子の中心軸方向両方向にスライド自在であって該中心軸中央部に位置するように付勢され該中心軸方向へのスライド操作を受けてスライドする操作子と、
前記操作子のスライド操作を検出する、スライド方向２方向のそれぞれに対応して配備されたスイッチとを備えたことを特徴とする電子機器。
【請求項６】
ユーザによる操作を受ける操作子が配備された操作面を備えた電子機器において、
前記操作面に寝かせた姿勢に配置され該操作面に沿って延びる中心軸のまわりに回転自在な略円筒形の操作子が中心軸を共通にして２つ隣接配置され、さらに各操作子に対応して設けられ各操作子の回転操作を検出するエンコーダを備えたことを特徴とする電子機器。
【発明の詳細な説明】
【技術分野】
【０００１】
本発明は、所定の操作面に寝かせた姿勢に配置されその操作面に沿って延びる中心軸のまわりに回転自在な略円筒形のジョグダイヤルおよびそのジョグダイヤルを備えた電子機器に関する。
【背景技術】
【０００２】
最近では、ユーザの使い勝手を考えて高度なヒューマンマシーンインターフェース（以降ＨＭＩという）を達成するような操作子を配備した電子機器が多数発売されている。そのような操作子の中には、ノート型のパーソナルコンピュータに搭載されているトラックボールや携帯電話機に搭載されているジョグダイヤル、十字キー等といった入力用の操作子がある。
【０００３】
このトラックボールやジョグダイヤルは、ユーザが回転操作を行なうことでマシンであるコンピュータに指示を与えることができる。
【０００４】
しかしながら、ジョグダイヤルやトラックボールを操作することによって表示画面上の選択カーソルを移動させることはできても、選択カーソルを移動させたところの選択項目を選択するいわゆる決定操作を行なうことはできない。ジョグダイヤルなどを高度なＨＭＩを実現する入力用の操作子として電子機器に搭載する場合には、決定操作や他の操作までもが行なえるジョグダイヤルにしておきたい。
【０００５】
特許文献の中には、回転操作に加えて押圧操作も行なえるようにして上記決定操作を行なえるようにしているもの（例えば特許文献１参照）もあるが、この特許文献１のジョグダイヤルは、回転操作に加えて押圧用の操作子が１つ追加されているのみで、電子機器を製作する製作メーカ側から見るとそのジョグダイヤルを電子機器に組み込んだところであまり多くのメリットが得られないという感じを持つ人が多い。そこで、もっと多くのスイッチをジョグダイヤルと組み合わせることができるように、ジョグダイヤルに複数の操作ボタンを組み合わせてその複数の操作ボタンの中の一つを上記決定ボタンに割り当てるようにしているものもある（例えば特許文献２参照）が、今度は部品点数が多くなってしまってジョグダイヤル自体が大型化してしまうという問題が発生する。
【０００６】
一般的にジョグダイヤルを電子機器に組み込もうとする製作メーカの多くは、特許文献３に示すようにジョグダイヤルの回転方向や回転速度に応じて制御部側で処理が行なえるようにしてジョグダイヤルの操作性能を充分に引き出すように努力しているが、ジョグダイヤル自体が小型であって、しかもジョグダイヤル自体が複数のスイッチを備えるようなものであると、いままでよりもより一層高度なユーザインターフェースを提供することができるようになると考えている。
【特許文献１】特開平７−６５５５１号公報
【特許文献２】特開平６−１７８３７１号公報
【特許文献３】特開平５−２１６４４５号公報
【発明の開示】
【発明が解決しようとする課題】
【０００７】
本発明は上記問題点を解決し、小型であって、ユーザにとっても製作側にとっても使い勝手の良いジョグダイヤルおよびそのジョグダイヤルを備えた電子機器を提供することを目的とするものである。
【課題を解決するための手段】
【０００８】
上記目的を達成する本発明の第１のジョグダイヤルは、所定の操作面に寝かせた姿勢に配置されその操作面に沿って延びる中心軸のまわりに回転自在な略円筒形の操作子であって、さらにその操作子の中心軸方向両端部それぞれが、上記操作面から突出する方向に付勢され押圧を受けた側の端部のみが押下される操作子と、
上記操作子の回転操作を検出するエンコーダと、
上記操作子の各端部の押下を検出する、その各端部それぞれに対応して配備されたスイッチとを備えたことを特徴とする。
【０００９】
上記第１のジョグダイヤルによれば、上記操作子の回転操作に応じた回転状態を検出するエンコーダに加えて、上記操作子の押下操作に応じて動作する２つのスイッチが上記操作子の各端部それぞれに２つ配備される。
【００１０】
そうすると、上記第１のジョグダイヤルが、いままでのように回転操作用の操作子としてだけではなく、異なる２つの操作態様を持つ、押圧操作用の操作子としても働く。
【００１１】
いままでであれば、上記のようにスイッチとジョグダイヤルとを組み合わせようとすると大型化を招いてしまうという欠点があったが、上記第１のジョグダイヤルにおいては上記操作子の各端部にマイクロスイッチのような小型のスイッチを設ければ済むのでジョグダイヤル自体が大きくなることもない。
【００１２】
すなわち、小型であって、ユーザにとっても製作側にとっても使い勝手の良いジョグダイヤルが実現される。
【００１３】
上記目的を達成する本発明の第２のジョグダイヤルは、所定の操作面に寝かせた姿勢に配置されその操作面に沿って延びる中心軸のまわりに回転自在な略円筒形の操作子であって、さらにその操作子の中心軸方向両方向にスライド自在であってその中心軸中央部に位置するように付勢されその中心軸方向へのスライド操作を受けてスライドする操作子と、
上記操作子のスライド操作を検出する、スライド方向２方向のそれぞれに対応して配備されたスイッチとを備えたことを特徴とする。
【００１４】
上記第２のジョグダイヤルによれば、上記操作子の回転操作に応じた回転状態を検出するエンコーダに加えて、上記操作子のスライド操作に応じて動作する２つのスイッチが上記操作子の各端部それぞれに２つ配備される。
【００１５】
そうすると、上記第２のジョグダイヤルが、いままでのように回転操作用の操作子としてだけではなく、異なる２つの操作態様を持つ、スライド操作用の操作子としても働く。
【００１６】
すなわち、上記第１のジョグダイヤルと同様、小型であってしかもユーザにとっても製作側にとっても使い勝手の良いジョグダイヤルが実現される。
【００１７】
上記目的を達成する上記本発明の第３のジョグダイヤルは、所定の操作面に寝かせた姿勢に配置され該操作面に沿って延びる中心軸のまわりに回転自在な略円筒形の操作子が中心軸を共通にして２つ隣接配置され、さらに各操作子に対応して設けられ各操作子の回転操作を検出するエンコーダを備えたことを特徴とする。
【００１８】
上記第３のジョグダイヤルによれば、２つの操作子が２つ隣接配置され、２通りの回転操作により２つの指示を与えることができるジョグダイヤルが実現される。ここで回転自在な略円筒形の操作子の大きさを小さくしてさらに回転軸廻りに小型のエンコーダを配備するようなことを行なうことで小型であってユーザにとっても製作側にとっても使い勝手の良いジョグダイヤルが実現される。
【００１９】
上記目的を達成する上記本発明の第１の電子機器は、ユーザによる操作を受ける操作子が配備された操作面を備えた電子機器において、
上記操作子が、上記操作面に寝かせた姿勢に配置されその操作面に沿って延びる中心軸のまわりに回転自在な略円筒形の操作子であって、さらにその操作子の中心軸方向両端部それぞれが上記操作面から突出する方向に付勢され押圧を受けた側の端部のみが押下される操作子と、
上記操作子の回転操作を検出するエンコーダと、
上記操作子の各端部の押下を検出する、その各端部それぞれに対応して配備されたスイッチとを備えたことを特徴とする。
【００２０】
上記第１の電子機器によれば、小型であって回転操作の他に２つの異なる操作態様（押下操作に２つの操作態様を持つ）を持つ、ユーザにとっても製作側にとっても使い勝手の良い上記第１のジョグダイヤルが配備された電子機器が実現される。
【００２１】
また、上記目的を達成する上記本発明の第２の電子機器は、ユーザによる操作を受ける操作子が配備された操作面を備えた電子機器において、
上記操作面に寝かせた姿勢に配置されその操作面に沿って延びる中心軸のまわりに回転自在な略円筒形の操作子であって、さらにその操作子の中心軸方向両方向にスライド自在であってその中心軸中央部に位置するように付勢されその中心軸方向へのスライド操作を受けてスライドする操作子と、
上記操作子のスライド操作を検出する、スライド方向２方向のそれぞれに対応して配備されたスイッチとを備えたことを特徴とする。
【００２２】
上記第２の電子機器によれば、小型であって回転操作の他に２つの異なる操作態様（スライド操作に２つの操作態様を持つ）を持つ、ユーザにとっても製作側にとっても使い勝手の良い上記本発明の第２のジョグダイヤルが配備された電子機器が実現される。
【００２３】
上記目的を達成する上記本発明の第３の電子機器は、ユーザによる操作を受ける操作子が配備された操作面を備えた電子機器において、
上記操作面に寝かせた姿勢に配置されその操作面に沿って延びる中心軸のまわりに回転自在な略円筒形の操作子が中心軸を共通にして２つ隣接配置され、さらに各操作子に対応して設けられ各操作子の回転操作を検出するエンコーダを備えたことを特徴とする。
【００２４】
上記第３の電子機器によれば、小型であってしかも２つの異なる操作態様（回転操作に２つの操作態様を持つ）を持つ上記本発明の第３のジョグダイヤルがケース表面に配備された、使い勝手の良い電子機器が実現される。
【発明の効果】
【００２５】
本発明によれば、小型であって、ユーザにとっても製作側にとっても使い勝手の良いジョグダイヤルおよびそのジョグダイヤルを備えた電子機器が実現される。
【発明を実施するための最良の形態】
【００２６】
以下図面を参照して本発明の実施の形態を説明する。
【００２７】
図１および図２は、上記本発明の第１のジョグダイヤルが組み込まれた電子機器の一実施形態であるカメラ付き携帯電話機２００の、それぞれ表面および裏面を示す斜視図である。
【００２８】
この携帯電話２００は、上部２１０と下部２２０とからなり、折り畳み式となっている。
【００２９】
この携帯電話２００の上部２１０には、表示画面２１１、送話口２１２、アンテナ２１３および裏面に配備されたカメラ用撮影レンズ２１４が備えられており、下部２２０には操作キー２２１や受話口２２２が備えられている。また表示パネル２１１の下方には、選択メニュー画面に表示される多数の選択項目の中のいずれかを選択するためのジョグダイヤル２１５が配備されている。
【００３０】
本実施形態の携帯電話機２００が備えるジョグダイヤル２１５は、所定の操作面ここでは表示パネル２１１のパネル面２１００に寝かせた姿勢に配置されその操作面２１００に沿って延びる中心軸のまわり（縦置きなので図１では左右方向にあたる）に回転自在な略円筒形の操作子２１５１であって、さらにその操作子２１５１の中心軸方向両端部それぞれが、上記操作面２１００から突出する方向に付勢され押圧を受けた側の端部（図１では上下端）のみが押下される操作子でもある。
【００３１】
この実施形態では、そのジョグダイヤル２１５が回転操作されると、例えば表示パネル２１１に表示されている多数のサムネイル画像上を選択カーソルが平行移動したり、その回転操作により多数のサムネイル画像のうちのいずれかのサムネイル画像の上に選択カーソルが配置された後でジョグダイヤル２１５が押圧操作されると、例えば表示パネル上の表示画面が切り替えられて選択されたサムネイル画像の拡大表示が行なわれたりする。この実施形態のカメラ付き携帯電話機２００が備えるジョグダイヤルの構成および機能については後述する。
【００３２】
図３は、図１、図２に外観を示す携帯電話の内部構成を示すブロック図である。
【００３３】
この携帯電話２００は、ＣＰＵ２３０でその全体が制御されるように構成されている。このＣＰＵ２３０には揮発性のメモリであるＲＡＭ２３１、不揮発性のメモリであるＲＯＭ２３２、図１に示す表示パネル２１１を備えた表示部２３３、図１にも示す操作キー２２１やジョグダイヤル２１５、書換可能な不揮発性のメモリである書換可能ＲＯＭ２３４および電源部２３５が配備されている。
【００３４】
ＲＯＭ２３２には、ＣＰＵ２３０で実行されるプログラム等が記憶されており、また、書換可能ＲＯＭ２３４には、パケット通信によりダウンロードされたプログラムが記憶され、そのＲＯＭ２３２や書換可能ＲＯＭ２３４に記憶されたプログラムがＣＰＵ２３０で実行されることにより、この携帯電話２００の各部の動作が制御される。
【００３５】
ＲＡＭ２３１は、ＣＰＵ２３０で実行されるプログラムの作業領域として利用される他、この携帯電話２００で取り扱われる画像データの画素数の設定値や画像データ等の格納領域として利用される。
【００３６】
表示部２３３は、図１に示す表示パネル２１１を有し、ＣＰＵ２３０の指示に応じてこの表示パネル２１１上にサムネイル画像や既撮影画像、メニュー画像等を表示する。
【００３７】
操作キー２２１やジョグダイヤル２１５は、ユーザによる操作を受けその操作をＣＰＵ２３０に伝える役割りを担っている。操作キー２２１やジョグダイヤル２１５が操作されると、ＣＰＵ２３０は、それらの操作に応じて各部を制御する。ＣＰＵは、ジョグダイヤルが備えるエンコーダから供給されてくるエンコード信号ＥＮＣを受けて表示画面上を動く選択カーソルの位置を算出したり、ジョグダイヤルが備える２つのスイッチのうちの１つのスイッチから供給されてくる操作信号ＯＰ１を受けたり、もう一つのスイッチから供給されてくる操作信号ＯＰ２を受けたりして、決定操作であるか、キャンセル操作であるかを判定したりする。
【００３８】
電源部２３５には、電池（図示せず）が装填されその電池からの電力を、ＣＰＵ２３０や、そのＣＰＵ２３０からの指令を受けてこの携帯電話の各部に供給する。
【００３９】
また、この携帯電話２００には、電話機能を担う構成要素として、図１、図２にも示すアンテナ２１３、送受信部２４１、信号処理部２４２、および通話部２４５が備えられている。この通話部２４３には、図１の受話口２２２の内部に配備されたマイクロホン２４３ａと送話口２１２の内部に配備されたスピーカ２４３ｂが含まれている。
【００４０】
送受信部２４１は、アンテナ２１３での電波の送受信を担う回路要素であり、アンテナ２１３での電波受信により送受信部２４１で得られた信号は信号処理部に入力されて信号処理を受けて通話部２４３のスピーカ２４３ｂから音声として出力される。また、通話部２４３のマイクロホン２４３ａでピックアップされた音声は信号処理部２４２で信号処理を受け送信部２４１を介してアンテナ２１３から電波として送信される。
【００４１】
また、この携帯電話２００はパケット通信機能も備えており、アンテナ２１３および送受信部２４１を介して受信またはパケット信号は、信号処理部２４２で適切な信号処理を受けた後一旦ＲＡＭ２３１に格納され、あるいはダウンロードされたプログラムの場合は書換可能ＲＯＭ２３４に記憶され、操作キー２２１からの指示を受けたＣＰＵ２３０により、そのＲＡＭ２３１内のパケットデータが表示部２３３の表示画面２１１（図１参照）に表示され、あるいは書換可能ＲＯＭに記憶されたプログラムが実行される。
【００４２】
また操作キー２２１で作成されたパケット通信文書等はその作成時点ではＲＡＭ２３１に一旦格納され、操作キー２２１からの送信指示に応じて信号処理部２４１に送られて送信用に信号処理を受け、送受信部２４１およびアンテナ２１３を介して電波として送信される。
【００４３】
さらに、この携帯電話２００は撮影機能を有している。ここには、この撮影機能を担う要素として、撮影部２５１、画像処理部２５２が備えられている。またその撮影機能で撮影された画像を表わす画像データを送信する機能を担う要素として赤外線通信部２５３が備えられている。
【００４４】
撮影部２５１には、図１に示す撮影レンズ２１４および撮影素子２５１ａが備えられており、撮影レンズ２１４を経由して取り込まれた被写体が撮影素子２５１ａ上に結像されてその撮影素子２１５により画像信号が生成される。この撮影素子２５１ａで生成された画像信号は画像処理部２５２で処理されてデジタルの画像データに変換され、ＣＰＵ２３０を介して一旦ＲＡＭに格納され操作キー２２１の操作に応じて表示部２３１の表示パネル２１１上に表示され、あるいは、赤外線通信部２５３を介して外部（後述するプリンタ）に向けて送信される。
【００４５】
ここで、図１、図３に示したジョグダイヤル２１５の構造をまず説明する。
【００４６】
図４は、ジョグダイヤル２１５の構造を示す図である。
【００４７】
図４（ａ）は図１に示す携帯電話機２００の表示パネル２１１側のケースを取り外してジョグダイヤル２１５が取り付けられている基板２１０１を上方から見た上面図であり、図４（ｂ）は、図４（ａ）に示すＡ−Ａ´に沿って切断してその切断した面を正面から見た図であり、図４（ｃ）は、図４（ａ）に示すジョグダイヤル２１５を側方から見た側面図である。図４（ｃ）には、ジョグダイヤル２１５がカメラ付き携帯電話機２００に取り付けられた状態にあるときに、操作面２１００を形成するケースの一部も図示されている。
【００４８】
図４（ａ）〜図４（ｃ）に示すジョグダイヤル２１５は、中心軸（図４（ｂ）中の符号２１５３ａ，２１５３ｂ）のまわりに回転自在な略円筒形の操作子２１５１であって、さらにその操作子２１５１の中心軸方向両端部それぞれが、操作面から突出する方向に付勢され押圧を受けた側の端部のみが押下されるものである。
【００４９】
この実施形態においては、スイッチＳＷ１，ＳＷ２が図４（ｂ）に示す上方にバネ付勢されていることを利用して、これらのスイッチＳＷ１，ＳＷ２に、操作子２１５１の両端部（ここではホルダの両端部それぞれに各々突起部を設けて２つのスイッチＳＷ１，ＳＷ２それぞれと接するようにしてホルダ２１５１を配置してある）を操作面から突出する方向に付勢する役目も担わせている。これらのスイッチＳＷ１，ＳＷ２は、ジョグダイヤル２１５の操作子２１５１の各端部の押下を検出する、その各端部それぞれに対応して設けられたものであって略円筒形の操作子２１５１の下方にある基板２１０１上に実装されている。この例においては、それらのスイッチＳＷ１、ＳＷ２の上方に略円筒形の操作子２１５１を保持するＬ字型のホルダ２１５２を配備しておいて、そのＬ字型のホルダ２１５２の中央部に設けられいてる孔２１５２１に携帯電話機側の回動中心軸を嵌入しさえすれば、ホルダ２１５２とともに操作子２１５１が、携帯電話機側のケースに対して回動自在に支持されるようになっている。つまり携帯電話機側のケースにこのジョグダイヤルが組み込まれ略円筒形の操作子２１５１が押圧を受けるとその孔２１５２１に嵌入されている回動軸を中心にしてホルダ２１５２とともに操作子２１５１が傾き、ホルダ２１５２のいずれか一方の端部にある突起部によりスイッチＳＷ１ｏｒＳＷ２が押されることとなる。
【００５０】
このように携帯電話機に組み込まれたジョグダイヤル２１５がユーザにより押圧されることによりいずれかのスイッチＳＷ１ｏｒＳＷ２が押下操作されると、スイッチＳＷ１あるいはスイッチＳＷ１が短絡してジョグダイヤル２１５から操作信号ＯＰ１あるいはＯＰ２がＣＰＵに向けて出力される。そうしたらＣＰＵ２３０はその操作信号を受けて決定指示であると解して処理を実行したり、キャンセル指示であると解して処理を実行したりする。
【００５１】
また操作子２１５１の中心軸２１５３ｂを囲むようにして操作子２１５１の回転操作を検出する、小型の中空円筒型のエンコーダ２１５４が備えられていてそのエンコーダ２１５４から回転角度（例えば１度ごとにエンコーダパルスが出力されるであるとか、１０度ごとにエンコーダパルスが出力されるであるとか、回転方向が変わったらパルスの極性が変わるであるとか）に応じたエンコード信号ＥＮＣも出力されるようになっている。このエンコード信号ＥＮＣを受けてＣＰＵ２３０は、表示画面上の選択カーソルを移動させたりする。
【００５２】
ここで、図４に示すような２つのスイッチＳＷ１，ＳＷ２とエンコーダ２１５４とを有するジョグダイヤル２１５の操作により電子機器である携帯電話機２００とユーザとの間にどのようなインターフェースが実現されるかを図５、図６を参照して説明する。
【００５３】
図５は、表示パネル２１１上に表示された、既撮影画像の一覧表示（ここでは９画面表示、画面番号を１・２…・９とする）および検索画面を示す図である。
【００５４】
例えば、既撮影画像が図５（ａ）に示すように一覧表示されているときにジョグダイヤル２１５がユーザにより右方向に回転操作し続けられると、画面番号５の位置にあった選択カーソル２１１１が画面番号６の位置へさらに下段の画面番号７、８、９と移動していき、さらには上段の画面番号１のところへジャンプするようになっている。例えば、上段左端の画面番号１のところに選択カーソル２１１１が配置されたところでユーザが回転操作を止め押圧操作を行なってスイッチＳＷ１側を押下操作すると、図５（ｂ）に示すように表示画面２１１いっぱいに画像（選択カーソルが配置されている画面番号１の画像）が表示される。その画像の表示への切替が行なわれた後においては画面番号１の画像のほか、その画像の周りに、その表示状態におけるジョグダイヤル２１５の操作内容も表示される。図５には例としてジョグダイヤル２１５が右側に回転操作されたときに図５（ａ）に示す一覧表示の矢印Ｆの方向にコマ送りが行われていくことと、左側に回転操作されると図５（ａ）に示す一覧表示の矢印Ｒの方向にコマ送りが行われていくこととが「送り」、「戻り」という文字とともに表示される。さらに、図５（ｂ）の表示状態にあるときにスイッチＳＷ１が押下操作されたら、決定ボタンが押されたとして下方に「決定」という文字が、またＳＷ２が押されたらキャンセルボタンが押されたとして上方に「キャンセル」という文字が表示される。
【００５５】
また、図５（ｂ）に示す画像が表示されているときに、ジョグダイヤル２１５が操作されてスイッチＳＷ１が押圧されると、決定ボタンが押されたとして図５（ｃ）に示す下位層の表示画面に切り替えられる。この下位の表示画面に切り替えられると、プリント予約が行なわれるということを示すため、符号Ｐという文字が表示され、さらにスイッチＳＷ１が押されたら決定ボタンが押されたとして下方に「決定」という文字が、またスイッチＳＷ２が押されたらキャンセルボタンが押されたとしてここでは図５（ｂ）の画面に「戻る」という文字が表示される。
【００５６】
ここでは、図５（ｃ）に示す表示状態にあるときにスイッチＳＷ１が操作されたらプリント予約が行なわれ、スイッチＳＷ２が操作されたら、プリント予約が行なわれないとして上位の表示画面である図６の画面に切り替えられる。
【００５７】
図６は、図５に示す表示を行なうにあたって、ＣＰＵ２３０が行なう処理の手順を示すフローチャートである。
【００５８】
ステップＳ６０１で、ジョグダイヤルが回転操作されているかどうかを判定する。ここでジョグダイヤルが操作されていると判定したら、Ｙ側へ進みステップＳ６０２でジョグダイヤルの回転方向に応じて図４（ａ）に示す選択カーソル２１１１をその回転方向に対応する方向に移動させる。選択カーソルを移動させたらステップＳ６０１へ戻ってステップＳ６０１、Ｓ６０２の処理を繰り返す。
【００５９】
ステップＳ６０１でジョグダイヤルが操作されていないと判定したらＮ側へ進みステップＳ６０３でスイッチＳＷ１あるいはスイッチＳＷ２が操作されているかどうかを判定する。ここでスイッチＳＷ２が押圧により押下され作動していると判定したらＳＷ２側へ進み、キャンセルキーが押されたとしてステップＳ６０４へ進む。このステップＳ６０４では、現在表示している表示画面が図５（ｂ）の表示画面であったら、図５（ａ）に示す表示画面に、図５（ｃ）の表示画面であったら図５（ｂ）に示す表示画面に、つまりより上位の画面に切り替える。
【００６０】
また、押圧によりスイッチＳＷ１が押下操作され作動していると判定したらＳＷ１側へ進み、決定キーが押されたとしてステップＳ６０５へ進む。このステップＳ６０５では、現在表示している表示画面が図５（ａ）の表示画面であったら、図５（ｂ）に示す表示画面に、図５（ｂ）の表示画面であったら図５（ｃ）に示す表示画面に、つまりより下位の画面に切り替える。また、図５（ｃ）に示すプリント予約画面の表示が行なわれているときにＳＷ１が操作されたら、表示されている画像のプリントの予約処理が行なわれる。
【００６１】
ステップＳ６０４あるいはステップＳ６０５の処理を終えたら、ステップＳ６０１へ戻ってステップＳ６０１からステップＳ６０５までの一連の処理を繰り返し行なう。
【００６２】
このようにエンコーダと２つのスイッチを巧みに配設することによって、１つのジョグダイヤルに３役をこなさせることができるようになる。
【００６３】
このように一つのジョグダイヤルに３つの機能を持たせることができるようになると、このジョグダイヤルを電子機器に組み込もうとする製作メーカに対しては、ジョグダイヤルが配備されるケース表面のレイアウト設計、さらには制御廻りに係るＩＯ設計の自由度が増すという効果を与えることができ、さらにその製作者により製作された電子機器例えば図１，図２に示す携帯電話機２００を使うユーザに対しては、ジョグダイヤルを回転させたり押したりするという操作を、片手で行なえるような使い勝手の良さを提供することができる。
【００６４】
以上説明したように、小型であって、ユーザにとっても製作側にとっても使い勝手の良いジョグダイヤルおよびそのジョグダイヤルを備えた電子機器が実現される。
【００６５】
図７は、図４とは異なる第２実施形態であるジョグダイヤル２１５Ｉを示す図である。
【００６６】
図４では、回転操作のほか、押下操作されたときに動作するスイッチを２つ備えたジョグダイヤルの例を示したが、図７には、回転操作のほか、スライド操作されたときに動作するスイッチＳＷ３，ＳＷ４を２つ備えたジョグダイヤルが示されている。
【００６７】
図７に示すジョグダイヤル２１５Ｉは、回転自在な略円筒形の操作子２１５１Ｉであって、さらにその操作子２１５１Ｉの中心軸（２１５３ａＩ、２１５３ｂＩ）方向両方向にスライド自在であってその中心軸中央部に位置するように付勢されその中心軸方向へのスライド操作を受けてスライドする操作子２１５１Ｉと、操作子２１５１Ｉのスライド操作を検出する、スライド方向２方向のそれぞれに対応して配備された２つのスイッチＳＷ３，ＳＷ４とを備えている。図７の下方（一点鎖線で囲まれた部分）には操作子２１５１Ｉが図７の右側（矢印方向）方向へスライド操作された後の状態が示されている。
【００６８】
ここでは、２つのスイッチＳＷ３，ＳＷ４により中央軸中央部に位置するように操作子２１５１Ｉを付勢するようにして、さらに略円筒形の操作子２１５１Ｉを保持するホルダ２１５２Ｉをベース２１０１Ｉ側の溝２１０１１Ｉに差し込むようにしてスライド操作を可能ならしめている。
【００６９】
このようにしても、図４と同様の効果が得られるジョグダイヤルが実現される。
【００７０】
図８は、図１と同様の構成であって、図１に示した回転操作および押下操作を持つジョグダイヤルの代わりに２つのジョグダイヤル２１５１ｍ，２１５２ｍを隣接配置した場合の構成を示す図であり、図９は、隣接配置された２連ジョグダイヤル２１５ｍの構成を示す図である。
【００７１】
図８に示すジョグダイヤル２１５は、所定の操作面に寝かせた姿勢に配置され操作面２１００ｍに沿って延びる中心軸のまわりに回転自在な略円筒形の操作子が中心軸を共通にして２つ隣接配置され、さらに図９に示すように各操作子２１５１ｍ，２１５２ｍに対応して設けられ各操作子２１５１ｍ，２１５２ｍの回転操作を検出するエンコーダ２１５４ｍｂ，２１５４ｍａをそれぞれ備えている。
【００７２】
このようにすると、２つの操作子を持つ２連ジョグダイヤル２１５ｍになり、表示パネル上に２画面表示などを行なったときにそれぞれの画面に対応した別々の操作などが行なえるようになる。
【００７３】
このようにしても小型であって、ユーザにとっても製作側にとっても使い勝手の良いジョグダイヤルおよびそのジョグダイヤルを備えた電子機器が実現される。
【図面の簡単な説明】
【００７４】
【図１】上記本発明の第１のジョグダイヤルが組み込まれた電子機器の一実施形態であるカメラ付き携帯電話機２００の表面を示す斜視図である。
【図２】上記本発明の第１のジョグダイヤルが組み込まれた電子機器の一実施形態であるカメラ付き携帯電話機２００の裏面を示す斜視図である。
【図３】図１、図２に外観を示す携帯電話の内部構成を示すブロック図である。
【図４】ジョグダイヤル２１５の構造を示す図である。
【図５】表示パネル２１１上に表示された、既撮影画像の一覧表示（ここでは９画面表示）および検索画面を示す図である。
【図６】図５に示す表示を行なうにあたって、ＣＰＵ２３０が行なう処理の手順を示すフローチャートである。
【図７】図４とは異なる第２実施形態であるジョグダイヤル２１５ａを示す図である
【図８】図１に示した回転操作および押下操作を持つジョグダイヤルの代わりに２つのジョグダイヤルをケース表面に隣接配置した（２連ジョグダイヤル）を備えたカメラ付き携帯電話機の表面を示す斜視図である。
【図９】図８に示す２連ジョグダイヤル２１５ｍの構成を示す図である。
【符号の説明】
【００７５】
２００    携帯電話機
２１０    上部
２１１    表示画面
２１２    送話口
２１３    アンテナ
２１５    ジョグダイヤル
２１５１  ２１５１Ｉ    略円筒形の操作子
２１５２  ２１５２Ｉ    ホルダ
ＳＷ１  ＳＷ２  ＳＷ３  ＳＷ４    スイッチ
２２０    下部
２２１    操作キー
２２２    受話口
２３０    ＣＰＵ
２３１    ＲＡＭ
２３２    ＲＯＭ
２３３    表示部
２３４    書き換え可能ＲＯＭ
２３５    電源部
２４１    送受信部
２４２    信号処理部
２４３    通話部
２５１    撮影部
２１４    撮影レンズ
２５１ａ    固体撮像素子
２５２    画像処理部
２５３    赤外通信部
【図１】
2006268732.tif 000003
【図２】
2006268732.tif 000004
【図３】
2006268732.tif 000005
【図４】
2006268732.tif 000006
【図５】
2006268732.tif 000007
【図６】
2006268732.tif 000008
【図７】
2006268732.tif 000009
【図８】
2006268732.tif 000010
【図９】
2006268732.tif 000011